(57)【要約】【課題】対象機器の特性によらず、当該対象機器を、機能を発揮できる状態に導く。【解決手段】メモリーカードＭに対して電源供給する電源供給部１６を備える電源装置４０において、ＰＷＭ周期と、ＰＷＭ期間との指定に基づき、メモリーカードＭに対して電源供給するよう電源供給部１６を制御する電源制御部２４と、メモリーカードＭに対する電源供給によって、リセットが発生したことを検知するリセット検知部３２と、リセット検知部３２がリセットの発生を検知すると、リセットの発生前よりも長いＰＷＭ周期、および、長いＰＷＭ期間の少なくとも一方を指定して、電源制御部２４に電源供給部１６の制御を再開させる再開制御部３４と、を備える構成である。【選択図】図１
2011055606.tif 000002
【特許請求の範囲】
【請求項１】
対象機器に対して電源供給する電源部を備える電源装置において、
所定時間における電源の供給時間に対する供給停止時間の割合と、該供給停止時間の割合にて電源供給する期間との指定に基づき、上記対象機器に対して電源供給するよう上記電源部を制御する電源供給制御手段と、
上記対象機器に対する電源供給によって、リセットが発生したことを検知するリセット検知手段と、
上記リセット検知手段がリセットの発生を検知すると、リセットの発生前よりも、大きい上記供給停止時間の割合、および、長い上記電源供給する期間の少なくとも一方を指定して、上記電源供給制御手段に上記電源部の制御を再開させる再開制御手段と、を備えることを特徴とする電源装置。
【請求項２】
上記対象機器の識別情報と、上記供給停止時間の割合および上記電源供給する期間を示す電源供給制御情報とを対応付けて記憶する始動情報記憶部と、
上記対象機器から識別情報を取得する識別情報取得手段と、
上記始動情報記憶部から、上記識別情報取得手段が取得した識別情報に対応付けられている上記電源供給制御情報を読み出して、読み出した電源供給制御情報が示す上記供給停止時間の割合および上記電源供給する期間に基づいて、上記電源部の制御を開始するよう上記電源供給制御手段に指示する始動情報指定手段と、を備えることを特徴とする請求項１に記載の電源装置。
【請求項３】
電源供給によって上記対象機器が、機能を発揮できる状態になったときにおける上記供給停止時間の割合および上記電源供給する期間を示す電源供給制御情報を、上記識別情報取得手段が取得した識別情報と対応付けて上記始動情報記憶部に保存する始動情報保存手段を備えることを特徴とする請求項２に記載の電源装置。
【請求項４】
請求項１から３のいずれか１項に記載の電源装置を有する情報処理装置であって、上記対象機器としてのメモリーカードを読み取るためのインターフェースを備えることを特徴とする情報処理装置。
【発明の詳細な説明】
【技術分野】
【０００１】
本発明は対象機器に電源供給する電源装置、情報処理装置に関する。
【背景技術】
【０００２】
電源装置から、対象機器に、電源供給するときに、対象機器に対して急激に電流が流入してしまう、いわゆる突入電流が発生する場合がある。そして、突入電流が発生すると、電圧降下してしまい、システムのリセットをはじめとする各種不具合を引き起こすことが知られている。
【０００３】
例えば、メモリーカード読み取りインターフェースを有する情報処理装置において、次のような突入電流が発生する場合がある。
【０００４】
すなわち、情報処理装置の読取口にメモリーカードを挿入して、メモリーカードを始動させるために通電したとき、メモリーカードが有する容量成分が原因となって、突入電流が発生することがある。これにより電圧降下が発生すると、情報処理装置において、リセットが発生することがあるという課題があった。
【０００５】
このような課題が生じ得るのは、次のような事情があるためである。すなわち、各種メモリーカードの規格では、その容量成分について、厳密な定義がなされていない。よって、製品として市場に流通しているメモリーカードの容量成分は、製品メーカによって異なっているのが実情である。このため、情報処理装置に、想定外の容量成分をもつメモリーカードが挿入されると、突入電流により上述のようなリセットが発生してしまう場合がある。
【０００６】
図１２を用いて、より具体的に説明すると次の通りである。図１２は、従来の情報処理装置が、メモリーカードに電源供給を行うときにおける電圧の経時的変化について示すグラフである。図１２において、Ｒ１０は、システム動作電源を示しており、Ｒ２０は、カードへの電源供給信号、すなわち、電源オン信号を示している。また、Ｐ１０は、システム動作電源の電圧降下を示している。
【０００７】
図１２に示すように、符号Ｆ１０で示す時点において、電源オン信号Ｒ２０が、入力開始されるとともに、Ｒ１０では、突入電流の影響受けて、区間Ｔ１０において電圧降下Ｖが発生している。
【０００８】
これまで、図１２に示すような、突入電流の発生を防ぐための様々な手法が提案されてきた。
【０００９】
具体的な手法としては、例えば、電源装置の回路において、抵抗等を設けることにより、突入電流の発生を抑制することが挙げられる。
【００１０】
また突入電流の発生を抑制して、回路を保護する技術として、特許文献１では、次のような技術が開示されている。
【００１１】
まず、直流電源装置において、入力電圧と、駆動信号のデューティ値およびスタート時間とを対応付けて記憶しておく。そして、直流電源装置の動作開始時には、記憶しておいた対応付けに基づいて、入力電圧に応じたＰＷＭ（Ｐｕｌｓｅ−Ｗｉｄｔｈ Ｍｏｄｕｌａｔｉｏｎ）制御を行う。
【先行技術文献】
【特許文献】
【００１２】
【特許文献１】特開２００７−２８８９７９（２００７年１１月１日公開）
【発明の概要】
【発明が解決しようとする課題】
【００１３】
しかしながら、電源装置において、電源ラインと、グランドとの間に抵抗等の部品を設ける手法では、抵抗等の部品を追加することによるコスト増加が懸念される上、抵抗によって電圧が降下するという影響がある。そして、なにより、この手法では、多種多様な対象機器に応じた制御は困難である。
【００１４】
特許文献１の技術においても、単に入力電圧に応じてＰＷＭ制御を行うのみであるため、多種多様な対象機器に応じた制御は行えなかった。
【００１５】
本発明は、上記の問題点に鑑みてなされたものであり、その目的は、対象機器の特性によらず、当該対象機器を、機能を発揮できる状態に導くことができる電源装置および情報処理装置を提供することにある。
【課題を解決するための手段】
【００１６】
上記の課題を解決するために、本発明に係る電源装置は、対象機器に対して電源供給する電源部を備える電源装置において、所定時間における電源の供給時間に対する供給停止時間の割合と、該供給停止時間の割合にて電源供給する期間との指定に基づき、上記対象機器に対して電源供給するよう上記電源部を制御する電源供給制御手段と、上記対象機器に対する電源供給によって、リセットが発生したことを検知するリセット検知手段と、上記リセット検知手段がリセットの発生を検知すると、リセットの発生前よりも、大きい上記供給停止時間の割合、および、長い上記電源供給する期間の少なくとも一方を指定して、上記電源供給制御手段に上記電源部の制御を再開させる再開制御手段と、を備えることを特徴とする。
【００１７】
電源装置が、対象機器に対して電源供給したときに、突入電流の発生し、これにより電圧降下が起こってリセットが発生する場合がある。ここでリセットとは、電源装置のリセットのことであり、例えば、電源装置が全く動作できない状態に陥ることをいう。
【００１８】
上記構成によれば、リセットが発生したことを検知すると、リセットの発生前における、所定時間における電源の供給時間に対する供給停止時間の割合と、該供給停止時間の割合にて電源供給する期間と、異なる供給停止時間の割合および／または電源供給する期間の指定により電源部の制御を再開するよう指示する。
【００１９】
具体的には、電源部の制御の再開に際して、リセットの発生前と比べて、大きい供給停止時間の割合を指定する。または、リセットの発生前と比べて、長い電源供給する期間を指定する。あるいは、リセットの発生前と比べて、大きい供給停止時間の割合および長い電源供給する期間を指定する。
【００２０】
このように、供給停止時間の割合と、電源供給する期間とを調整して電源供給するので、対象機器に対して流入する電流を調整しつつ電源供給することができる。
【００２１】
このため、リセットが発生しても、突入電流の発生およびそれによる電圧降下を抑止しながら再度電源供給を行って、対象機器の特性によらず、当該対象機器を、機能を発揮できる状態に導くことができるという効果を奏する。また、抵抗等の追加の部品を設けなくても済み、回路の設計変更をしなくても済むというメリットもある。
【００２２】
また、本発明に係る電源装置では、上記対象機器の識別情報と、上記供給停止時間の割合および上記電源供給する期間を示す電源供給制御情報とを対応付けて記憶する始動情報記憶部と、上記対象機器から識別情報を取得する識別情報取得手段と、上記始動情報記憶部から、上記識別情報取得手段が取得した識別情報に対応付けられている上記電源供給制御情報を読み出して、読み出した電源供給制御情報が示す上記供給停止時間の割合、および、上記電源供給する期間に基づいて上記電源部の制御を開始するよう上記電源供給制御手段に指示する始動情報指定手段と、を備えることが好ましい。
【００２３】
上記構成によれば、対象機器ごとに、該対象機器の識別情報と、供給停止時間の割合および上記電源供給する期間を示す電源供給制御情報とを対応付けて記憶しているので、対象機器に電源供給するときに、対象機器の識別情報を取得して、対象機器に応じた電源供給制御情報で、電源供給を行うことができる。
【００２４】
これにより、リセットの発生を抑止して、対象機器を、迅速に機能を発揮できる状態に導くことができる。
【００２５】
また、本発明に係る電源装置では、電源供給によって上記対象機器が始動したときにおける上記供給停止時間の割合および上記電源供給する期間を示す電源供給制御情報を、上記識別情報取得手段が取得した識別情報と対応付けて上記始動情報記憶部に保存する始動情報保存手段を備えることが好ましい。
【００２６】
上記構成によれば、電源供給によって上記対象機器が、機能を発揮できる状態になったときにおける上記供給停止時間の割合および上記電源供給する期間を示す電源供給制御情報を、対象機器から取得した識別情報と対応付けて保存しておくことができる。このため、次に、対象機器に電源供給を開始するとき、対象機器が、機能を発揮できる状態になった実績のある電源供給制御情報に基づいて電源供給を行うことができ、リセットの発生のおそれを低減することができる。
【００２７】
また、電源装置を有する情報処理装置であって、上記対象機器としての上記メモリーカードを読み取るためのインターフェースを備えることを特徴とする情報処理装置として実現することができる。
【００２８】
本発明に係る電源装置は、メモリーカードを読み取るためのインターフェースを備える情報処理装置に好適に適用可能である。これにより、情報処理装置において、メモリーカードの始動時における突入電流の発生を抑制して、速やかにメモリーカードを、機能を発揮できる状態に導くことができる。
【発明の効果】
【００２９】
本発明に係る電源装置は、所定時間における電源の供給時間に対する供給停止時間の割合と、該供給停止時間の割合にて電源供給する期間との指定に基づき、対象機器に対して電源供給するよう電源部を制御する電源供給制御手段と、上記対象機器に対する電源供給によって、リセットが発生したことを検知するリセット検知手段と、上記リセット検知手段がリセットの発生を検知すると、リセットの発生前よりも、大きい上記供給停止時間の割合、および、長い上記電源供給する期間の少なくとも一方を指定して、上記電源供給制御手段に上記電源部の制御を再開させる再開制御手段と、を備える構成である。
【００３０】
よって、突入電流の発生、および、それによる電圧降下を抑止しながら電源供給を行って、対象機器の特性によらず、当該対象機器を、機能を発揮できる状態に導くことができるという効果を奏する。
【図面の簡単な説明】
【００３１】
【図１】本発明の一実施形態に係る電源装置が組み込まれた画像表示装置の概略構成を示すブロック図である。
【図２】画像表示装置の外観について示した図であり、（ａ）は、画像表示装置を、前面斜め横からみた場合の外観を示しており、（ｂ）は、画像表示装置を、背面斜め横から見た場合の外観を示している。
【図３】画像表示装置を、底面から見た場合の外観を示す図である。
【図４】メモリーカードの回路の模式的構成を示す回路図である。
【図５】ＰＷＭ制御を行って電源オン信号を送出する場合の波形を示すグラフである。
【図６】メモリーカードに電源供給を行うときにおける電圧の経時的変化について示すグラフである。
【図７】本発明の別の実施形態に係る電源装置が組み込まれた画像表示装置の概略構成を示すブロック図である。
【図８】ＰＷＭ制御パラメータテーブルのデータ構造の一例を示すテーブルである。
【図９】電源装置を備える情報処理装置における、メモリーカードに電源供給する処理の流れの一例について示したフローチャートである。
【図１０】電源装置を備える画像表示装置における、メモリーカードに電源供給する処理の流れの一例について示したフローチャートである。
【図１１】始動情報記憶部が記憶する始動情報のデータ構造の一例を示すテーブルである。
【図１２】従来の情報処理装置が、メモリーカードに電源供給を行うときにおける電圧の経時的変化について示すグラフである。
【発明を実施するための形態】
【００３２】
〔実施形態１〕
本発明に係る電源装置の一実施形態について図１〜図６に基づいて説明すれば以下のとおりである。本実施形態では、本発明に係る電源装置が、画像表示装置に組み込まれた場合について説明する。
【００３３】
（画像表示装置の外観について）
まず、図２および図３を用いて、画像表示装置（情報処理装置）１０の外観について説明する。
【００３４】
図２は、画像表示装置１０の外観について示した図であり、（ａ）は、画像表示装置１０を、前面斜め横からみた場合の外観を示しており、（ｂ）は、画像表示装置１０を、背面斜め横から、すなわち（ａ）における矢印Ａ１方向から見た場合の外観を示している。
【００３５】
また、図３は、画像表示装置１０を、底面から、すなわち、図２の（ｂ）における矢印Ａ２方向から見た場合の外観を示している。
【００３６】
画像表示装置１０は、メモリーカードを読み取るためのインターフェースであるカードリーダ部を備え、メモリーカードに記憶されている画像データを読み込んで、読み込んだ画像データを表示するための装置である。
【００３７】
図２の（ａ）に示すように、画像表示装置１０は、前面に表示部１２を備えている。表示部１２は、液晶ディスプレイ等によって構成することができる。
【００３８】
図２の（ｂ）に示すように、画像表示装置１０は、背面において、メモリーカードを挿入するためのカードリーダ部１４を備えている。
【００３９】
メモリーカードの例としては、ＳＤメモリーカード（商標）、メモリースティック（商標）、コンパクトフラッシュ（登録商標）、ｘＤピクチャーカード（登録商標）等が挙げられる。
【００４０】
上記構成は、飽くまで一例であり、カードリーダ部１４において、他の種類のメモリーカード、あるいは電源を供給することによって始動するような記録媒体を読取可能であってもよい。電源を供給することによって始動する記録媒体としては、例えば、フラッシュメモリあるいはハードディスクを内蔵した記録媒体等が挙げられる。
【００４１】
そして、図３に示すように、カードリーダ部１４は、各種メモリーカード（対象機器）Ｍを挿入するためのスロット部Ｌ１、Ｌ２を有している。
【００４２】
スロット部Ｌ１、Ｌ２は、それぞれの形状・特性により、対応可能なメモリーカードＭが予め定まっている。メモリーカードＭは、スロット部Ｌ１、Ｌ２のいずれか対応している方に挿入することができる。例えば、コンパクトフラッシュＭ１は、スロット部Ｌ１に挿入することができ、ＳＤメモリーカードＭ２、ｘＤピクチャーカードＭ３、メモリースティックＭ４は、スロット部Ｌ２に挿入することができる。
【００４３】
画像表示装置１０は、カードリーダ部１４のスロット部Ｌ１、Ｌ２に挿入されたメモリーカードＭを動作させて、メモリーカードＭに記憶されている画像データを読み込んで、読み込んだ画像データを表示部１２に表示させることができる。
【００４４】
（画像表示装置の機能について）
次に、図１を用いて、電源装置４０が組み込まれた画像表示装置１０の概略構成について説明する。図１は、電源装置４０が組み込まれた画像表示装置１０の概略構成を示すブロック図である。
【００４５】
図１に示すように、画像表示装置１０は、表示部１２、カードリーダ部１４、電源供給部（電源部）１６、制御部２０、および記憶部５０を備える構成である。
【００４６】
表示部１２は、画像データを表示するための表示画面を有しており、メモリーカードＭから読み出された画像データを、制御部２０を介して受信し、受信した画像データに基づいてその表示画面に画像を表示するものである。表示部１２には、例えば、ＬＣＤ（Liquid Crystal Display）、ＰＤＰ（Plasma Display Panel）、ＥＬ（Electroluminescence）ディスプレイなどにより構成される表示装置を採用することができる。
【００４７】
カードリーダ部１４は、各種メモリーカードＭに保存されているデータを読み取るためのものである。より具体的には、カードリーダ部１４は、各種メモリーカードＭを挿入するためのスロット部Ｌ１、Ｌ２を有しており、スロット部に挿入されたメモリーカードＭを検出信号により認識し、電源供給部１６から供給される電力によって始動させる。そして、カードリーダ部１４は、メモリーカードＭに記憶されている画像データを読み込み、読み込んだ画像データを、制御部２０に転送する。
【００４８】
なお、メモリーカードＭを始動させるとは、メモリーカードＭを、当該メモリーカードＭに記憶されている画像データを、カードリーダ部１４において読取可能な状態に導くことである。すなわち、対象機器としてのメモリーカードＭを、機能を発揮できる状態にすることである。
【００４９】
電源供給部１６は、カードリーダ部１４への電源供給およびカードリーダ部１４を介したメモリーカードＭへの電源供給を行う。以下、電源供給部１６による、カードリーダ部１４を介したメモリーカードＭへの電源供給については、単にメモリーカードＭへの電源供給と表現する。
【００５０】
電源供給部１６は、制御部２０が備える電源制御部２４から送出される電源オン信号によりメモリーカードＭへの電源供給動作を行う一方で、電源オフ信号によりメモリーカードＭへの電源供給動作を停止する。
【００５１】
制御部２０は、画像表示装置１０における各種構成を統括的に制御するものである。制御部２０の機能は、例えばＲＡＭ（Random Access Memory）やフラッシュメモリなどの記憶素子に記憶されたプログラムをＣＰＵ（Central Processing Unit）が実行することによって実現される。制御部２０の詳細については後述する。
【００５２】
記憶部５０は、各種データおよびプログラムを記憶するものである。記憶部５０は、例えば、ハードディスク、フラッシュメモリ、ＲＯＭ、ＲＡＭ等により構成することができる。また、記憶部５０の詳細については後述する。
【００５３】
（記憶部の詳細）
記憶部５０は、より詳細には、再開設定記憶部（パラメータ設定情報記憶部）５２と、再開パラメータ記憶部５４と、始動情報記憶部５６とを含む構成である。
【００５４】
再開設定記憶部５２は、ＰＷＭ（Pulse-Width Modulation）制御パラメータの初期値と、ＰＷＭ制御パラメータの変更間隔とを含む初期設定情報を記憶するものである。
【００５５】
ＰＷＭ制御パラメータ（電源供給制御情報）は、ＰＷＭ制御による電源供給を行うためのパラメータであり、ＰＷＭ周期（供給停止時間の割合）と、ＰＷＭ期間（電源供給する期間）とを含む。
【００５６】
ＰＷＭ周期は、電源オン信号を送出する期間から、電源オフ信号を送出する期間を経て、次に、電源オン信号を送出する期間が始まるまでの周期について規定する情報である。
【００５７】
すなわち、言い換えれば、ＰＷＭ周期は、所定期間における電源供給を行う期間と、電源供給を行わない期間との割合を示す設定値である。なお、ＰＷＭ周期は、対象機器に印加する電圧のデューティ比を示すものであってもよいし、周期ではなく周波数として表現されていてもよい。
【００５８】
ＰＷＭ期間は、ＰＷＭ周期に基づいて電源供給を行う期間を示す情報である。
【００５９】
ＰＷＭ制御パラメータの初期値は、電源供給の開始後、はじめてリセットが発生してＰＷＭ制御による電源供給を行うときに用いる設定値である。
【００６０】
ＰＷＭ制御パラメータの変更間隔は、ＰＷＭ制御パラメータを変更する場合の間隔について規定している。具体的には、変更間隔は、ＰＷＭ周期の変更間隔と、ＰＷＭ期間の変更間隔と含む。
【００６１】
ＰＷＭ制御パラメータの変更間隔とは、２回以上のリセットが発生したとき、さらに電源供給を再開するときにおけるＰＷＭ制御パラメータの変更幅を示している。すなわち、ＰＷＭ制御パラメータの変更間隔は、リセットが発生する前のＰＷＭ制御パラメータをどのように変更して、電源供給を再開するかを決定するための設定値である。
【００６２】
再開パラメータ記憶部５４は、再開時におけるＰＷＭ制御パラメータを一時的に記憶するものである。
【００６３】
始動情報記憶部５６は、メモリーカードＭの識別情報と、ＰＷＭ制御パラメータをはじめとするメモリーカードの始動に関する情報とが対応付けられた始動情報を記憶するものである。
【００６４】
図１１を用いて、始動情報記憶部５６が記憶する始動情報の具体的なデータ構造について説明する。図１１は、始動情報記憶部５６が記憶する始動情報のデータ構造の一例を示すテーブルである。
【００６５】
図１１に示すように、始動情報記憶部５６に記憶されている始動情報は、「カード種類」、「識別情報」、「ＰＷＭ制御パラメータ」、および「最新管理情報」のデータ項目を含む。
【００６６】
カード種類は、メモリーカードＭの種類を示している。例えば、メモリーカードＭの種類に応じて、ＳＤメモリーカード（ＳＤ）、メモリースティック（ＭＳ）、コンパクトフラッシュ（ＣＦ）、ｘＤピクチャーカード（ｘＤ）等を記憶しておく。
【００６７】
識別情報は、メモリーカードＭに付与されている識別情報を記憶しておく。識別情報の例としては、各種メモリーカードＭに付与されているシリアルナンバーが挙げられる。
【００６８】
ここで、コンパクトフラッシュのシリアルナンバーについて具体的に説明すると次のとおりである。
【００６９】
コンパクトフラッシュの規格書において、コンパクトフラッシュのシリアルナンバーは、機器識別情報（Identify Device Information）の一部として定義されている。
【００７０】
すなわち、コンパクトフラッシュのシリアルナンバー（“Serial number in ASCII(Right Justified)”）は、機器識別情報（Identify Device Information）のWord Address“10-19”において、２０バイトの文字情報（ＡＳＣＩＩ）として格納される。
【００７１】
ＰＷＭ制御パラメータは、ＰＷＭ制御による電源供給を行うためのパラメータであり、既に説明したとおりであるので、その説明を省略する。
【００７２】
最新管理情報は、「カード種類」が同一である始動情報について、その更新順序を示す目的で付される情報である。“１”が、その「カード種類」について最新の始動情報であることを示し、以下順に大きな数字が付される。
【００７３】
（制御部の詳細）
制御部２０は、より詳細には、読取制御部（識別情報取得手段）２２、電源制御部（電源供給制御手段）２４、リセット検知部（リセット検知手段）３２、再開制御部（再開制御手段）３４、始動情報保存部（始動情報保存手段）３６、および始動情報参照部（始動情報指定手段）３８を備える構成である。
【００７４】
読取制御部２２は、カードリーダ部１４に挿入されたメモリーカードＭの読み込みの制御を行うためのものである。
【００７５】
具体的には、まず、読取制御部２２は、カードリーダ部１４に挿入されたメモリーカードＭから、該メモリーカードＭの識別情報を読み出して、読み出した識別情報を始動情報保存部３６および始動情報参照部３８に通知する。読取制御部２２が、読み出すメモリーカードＭの識別情報とは、例えば、シリアルナンバーのことである。上述したコンパクトフラッシュのシリアルナンバーの例に則して説明すれば、読取制御部２２は、機器識別情報（Identify Device Information）に格納されるシリアルナンバーを取得することができる。
【００７６】
さらに、メモリーカードＭの検出信号からメモリーカードの種類を判別して、メモリーカードの種類を、始動情報保存部３６および始動情報参照部３８に通知する。
【００７７】
また、読取制御部２２は、カードリーダ部１４に挿入されたメモリーカードＭが始動したら、メモリーカードＭから画像データを読み込んで、読み込んだ画像データを、表示部１２に転送する。
【００７８】
そして、読取制御部２２は、カードリーダ部１４に挿入されたメモリーカードＭの状態を監視して、動作エラーを検知した場合には、リセット検知部３２に動作エラーの内容を通知するためのエラー通知を行う。
【００７９】
電源制御部２４は、指定されたＰＷＭ制御パラメータに基づいて、ＰＷＭを施した電源オン信号を、電源供給部１６に送出して、電源供給部１６の電源供給の制御を行うものである。なお、電源オン信号は、電源供給部１６に電源供給を行わせるための信号であり、電源オフ信号は、電源供給部１６に電源供給を停止させるための信号ということもできる。
【００８０】
通常、つまりＰＷＭ制御パラメータが指定されなければ、電源制御部２４は、電源オン信号を連続的に電源供給部１６に送出して、電源供給部１６が、メモリーカードＭに対して連続的に電源供給を行うように制御する。
【００８１】
また、電源制御部２４は、ＰＷＭ制御パラメータが指定されれば、指定されたＰＷＭ制御パラメータに含まれるＰＷＭ周期およびＰＷＭ期間に基づいて、電源供給部１６の電源供給を制御する。
【００８２】
具体的には、ＰＷＭ周期に基づいて、電源オン信号にＰＷＭ（Ｐｕｌｓｅ−Ｗｉｄｔｈ Ｍｏｄｕｌａｔｉｏｎ）を施す。そして、ＰＷＭを施した電源オン信号を、ＰＷＭ期間で示される期間、電源供給部１６に送出する。
【００８３】
言い換えれば、電源制御部２４は、ＰＷＭ制御パラメータに基づいて、電源オン信号および電源オフ信号を交互に電源供給部１６に、指定された期間、送出して、メモリーカードＭに対して断続的に電源供給を行うよう電源供給部１６を制御する。
【００８４】
リセット検知部３２は、読取制御部２２から通知されるエラー通知により、リセットの発生を検知するためのものである。リセット検知部３２は、電源供給部１６のリセットの発生を検知すると、リセットの発生を検知した旨を再開制御部３４に通知する。
【００８５】
リセットが発生すると、画像表示装置１０では、例えば、次のような状態に陥る。すなわち、読取制御部２２が、メモリーカードＭの読み込みに関する一連の手順を、再試行する。このため、電源制御部２４は、メモリーカードＭを始動させるための電源供給を再開するために、電源供給部１６の制御をはじめからやり直すことになる。そして、さらにリセットが発生した場合には、これらの動作が繰り返されるために、画像表示装置１０は、他の動作ができなくなる。
【００８６】
再開制御部３４は、リセット検知部３２によるリセット発生の通知により、電源供給部１６に、ＰＷＭ制御パラメータ（ＰＷＭ周期およびＰＷＭ期間）を指定してメモリーカードＭに対する電源供給を再開するよう制御するものである。
【００８７】
再開制御部３４は、具体的には、メモリーカードＭに対する電源供給を開始してから、最初に、リセットの発生が通知された場合は、以下のとおり動作する。
【００８８】
すなわち、再開制御部３４は、まず再開設定記憶部５２から初期設定情報を読み出す。そして、再開制御部３４は、読み出した初期設定情報に含まれるＰＷＭ制御パラメータの初期値を、電源制御部２４に指定して、電源供給の制御を行うよう指示するとともに、指定したＰＷＭ制御パラメータを再開パラメータ記憶部５４に保存する。
【００８９】
また、再開制御部３４は、メモリーカードＭに対する電源供給を開始してから、２回以上のリセットの発生が通知された場合は、以下のとおり動作する。
【００９０】
すなわち、再開制御部３４は、まず再開設定記憶部５２を参照して、ＰＷＭ制御パラメータの変更間隔を読み出すとともに、再開パラメータ記憶部５４を参照して、記憶されているＰＷＭ制御パラメータを取得する。
【００９１】
そして、再開制御部３４は、取得したＰＷＭ制御パラメータを、読み出した変更間隔に基づいて変更して、変更後のＰＷＭ制御パラメータを電源制御部２４に指定して、電源供給の制御を行うよう指示するとともに、指定したＰＷＭ制御パラメータを再開パラメータ記憶部５４に保存する。
【００９２】
始動情報保存部３６は、再開制御部３４が電源供給の再開の制御を行うことによって、メモリーカードＭが始動した場合、その時点におけるＰＷＭ制御パラメータを始動情報記憶部５６に保存するものである。
【００９３】
具体的には、始動情報保存部３６は、読取制御部２２から通知された識別情報と、メモリーカードＭの始動時におけるＰＷＭ制御パラメータとを対応付けて始動情報記憶部５６に保存する。また、このとき、始動情報保存部３６は、読取制御部２２から通知されるメモリーカードの種類を当該始動情報に書き込むと共に、最新管理情報を“１”に設定する。なお、このとき始動情報保存部３６は、カード種類が同一である他の始動情報については、最新管理情報をインクリメントする。以下では、説明の便宜上、このことを都度明示しないことにする。
【００９４】
始動情報参照部３８は、始動情報記憶部５６から、メモリーカードＭの識別情報をキーに始動情報を読み出して、読み出した始動情報に含まれるＰＷＭ制御パラメータを電源制御部２４に指定して、電源供給の制御を行うよう指示する。
【００９５】
より具体的には、始動情報参照部３８は、始動情報記憶部５６を参照して、読取制御部２２から通知されるメモリーカードＭの識別情報に対応付けられているＰＷＭ制御パラメータを読み出す。そして、始動情報参照部３８は、読み出したＰＷＭ制御パラメータに基づいて、電源供給部１６によるメモリーカードＭへの電源供給を制御する。
【００９６】
なお、始動情報参照部３８は、読取制御部２２から通知されるメモリーカードの種類を、始動情報の読み出しの際に用いることもできる。
【００９７】
また、始動情報参照部３８は、通知されたメモリーカードＭの識別情報が設定された始動情報が始動情報記憶部５６に記憶されていなければ、電源制御部２４にＰＷＭ制御パラメータの指定は行わない。この場合、電源制御部２４が、通常の電源供給の制御を行うことになる。
【００９８】
（電源装置の構成例）
ここで、電源装置４０の構成例について説明すると、電源装置４０は、これらの構成のうち、電源供給部１６、電源制御部２４、リセット検知部３２、再開制御部３４、始動情報保存部３６、始動情報参照部３８および記憶部５０を含む構成により実現可能である。本発明に係る電源装置４０は、このように画像表示装置１０の構成の一部として組み込まれた形式となっていてもよい。
【００９９】
（メモリーカードに関する回路構成について）
ここで、図４カードリーダ部１４において読取可能なメモリーカードＭの回路の模式的構成について説明すると以下のとおりである。図４は、メモリーカードＭの回路の模式的構成を示す回路図である。
【０１００】
図４に示すように、カードリーダ部１４に挿入されたメモリーカードＭは、電力線Ｅ１によって、電源である電源供給部１６と接続される。電力線Ｅ１は、メモリーカードＭ側の操作電極ＶＤＤおよび接地電極ＶＳＳと接続される。
【０１０１】
電源供給部１６は、電力線Ｅ１によって、メモリーカードＭに対して電源供給することにより、メモリーカードＭを始動させる。
【０１０２】
メモリーカードＭは、実際には、操作電極ＶＤＤおよび接地電極ＶＳＳの間に、容量成分Ｃを有しており、この容量成分Ｃが原因となって、電源供給時において突入電流が発生する場合がある。以下では、どのようにして、突入電流の発生およびそれによる電圧降下を抑止しながら電源供給を行って、メモリーカードＭの特性によらず、当該メモリーカードＭを始動状態に導くかについて説明する。
【０１０３】
（電源供給の制御について）
ここで、図５を用いて、電源制御部２４が行うＰＷＭ制御の詳細について説明すると次のとおりである。図５は、ＰＷＭを施した電源オン信号を送出する場合の波形を示すグラフである。
【０１０４】
図５に示すとおり、電源制御部２４は、ＰＷＭ制御パラメータが指定されると、該ＰＷＭ制御パラメータに含まれるＰＷＭ周期に基づいて、電源オン信号にＰＷＭを施す。そして、ＰＷＭ制御パラメータに含まれるＰＷＭ期間に示される期間、すなわち、図５におけるＤ１の期間、ＰＷＭが施された電源オン信号を電源供給部１６に送出する。
【０１０５】
そして、Ｄ１の期間が経過した後、すなわち、Ｄ２の期間において、電源制御部２４は、連続的な電源オン信号を電源供給部１６に送出する。なお、Ｄ１あるいはＤ２の期間で、リセットが検知されれば、再開制御部３４によって、ＰＷＭ制御パラメータが変更され、電源制御部２４によって、電源供給が再開される。
【０１０６】
例えば、再開制御部３４は、ＰＷＭ制御パラメータの変更間隔に基づいて、ＰＷＭ期間をより長いものに変更する。この場合、図５におけるＤ１の期間がより長いものになる。
【０１０７】
あるいは、再開制御部３４は、ＰＷＭ制御パラメータの変更間隔に基づいて、ＰＷＭ周期を、より長い周期を示すものに変更する。また、再開制御部３４は、ＰＷＭ期間およびＰＷＭ周期の両方を変更してもよい。
【０１０８】
このような、電源供給の制御により、リセットが発生することなく、メモリーカードを始動に導くことができた場合の電圧の経時的変化は、図６に示すとおりになる。なお、図６において、Ｒ１は、システム動作電源の電圧であり、Ｒ２は、カードへの電源供給信号、すなわち、電源オン信号を示している。
【０１０９】
図６と、図１２とを対比すると、符号Ｆ１で示す時点にて電源オン信号Ｒ２が入力開始されても、区間Ｔ１では、図１２のＰ１０で示したような電圧降下がおこっておらず、突入電流の発生が抑制されていることがわかる。
【０１１０】
（作用・効果）
本発明に係る電源装置４０は、メモリーカードＭに対して電源供給する電源供給部１６を備える電源装置４０において、ＰＷＭ周期と、ＰＷＭ期間との指定に基づき、メモリーカードＭに対して電源供給するよう電源供給部１６を制御する電源制御部２４と、
メモリーカードＭに対する電源供給によって、リセットが発生したことを検知するリセット検知部３２と、リセット検知部３２がリセットの発生を検知すると、リセットの発生前よりも長いＰＷＭ周期、および、長いＰＷＭ期間の少なくとも一方を指定して、電源制御部２４に電源供給部１６の制御を再開させる再開制御部３４と、を備える構成である。
【０１１１】
よって、突入電流の発生およびそれによる電圧降下を抑止しながら電源供給を行って、メモリーカードＭの特性によらず、メモリーカードＭを始動状態に導くことができるという効果を奏する。
【０１１２】
〔実施形態２〕
本発明に係る電源装置のさらに別の実施形態について図７、図８および図９に基づいて説明すれば以下のとおりである。なお、説明の便宜上、上記実施形態１にて説明した図面と同じ機能を有する部材については、同じ符号を付記し、その説明を省略する。
【０１１３】
図７を用いて、本実施形態に係る電源装置６０を備える画像表示装置１０の概略構成について説明する。図７は、図１に示した画像表示装置１０の構成の変形例を示すブロック図である。
【０１１４】
図７に示す画像表示装置１０は、図１を用いて説明した画像表示装置１０と次の点で相違する。
【０１１５】
まず、制御部２０において、再開制御部３４に替えて、ＰＷＭ制御パラメータ参照部６２を設けている。
【０１１６】
そして、記憶部５０において、再開設定記憶部５２および再開パラメータ記憶部５４に替えて、ＰＷＭ制御パラメータテーブル５８を設けている。それ以外の構成については、図１を用いて、既に説明したとおりであるので、その説明を省略する。
【０１１７】
（電源装置の構成例）
ここで、電源装置６０の構成例について説明すると、電源装置６０は、これらの構成のうち、電源供給部１６、電源制御部２４、リセット検知部３２、ＰＷＭ制御パラメータ参照部６２、ＰＷＭ制御パラメータテーブル５８を含む構成により実現可能である。
【０１１８】
（ＰＷＭ制御パラメータ参照部およびＰＷＭ制御パラメータテーブルについて）
以下、ＰＷＭ制御パラメータ参照部６２およびＰＷＭ制御パラメータテーブル５８について説明する。
【０１１９】
まず、図８を用いて、ＰＷＭ制御パラメータテーブル５８について説明する。図８は、ＰＷＭ制御パラメータテーブル５８のデータ構造の一例を示すテーブルである。
【０１２０】
ＰＷＭ制御パラメータテーブル５８は、リセット回数に対応付けてＰＷＭ制御パラメータを記憶しておくためのテーブルである。図８に示すとおり、ＰＷＭ制御パラメータテーブル５８に登録されている各レコードには、「リセット回数」、「ＰＷＭ制御パラメータ」、「容量値」のデータ項目が含まれる。
【０１２１】
「リセット回数」は、電源供給部１６による電源供給の開始後、リセット検知部３２が検知するリセットの回数を示す。また、ＰＷＭ制御パラメータテーブル５８では、リセットの回数に対応付けて「ＰＷＭ制御パラメータ」、「容量値」を格納している。
【０１２２】
「ＰＷＭ制御パラメータ」は、ＰＷＭ制御による電源供給を行うためのパラメータである。本実施形態では、「ＰＷＭ制御パラメータ」は、ＰＷＭ周波数と、ＰＷＭ期間とを含む。
【０１２３】
「容量値」は、メモリーカードＭの容量成分の容量値を示す。なお、容量値“＊”となっているのは、設置されている値が無いことを示している。リセット回数“０”に係るレコードが、予備的に設けられているものであるからである。
【０１２４】
ＰＷＭ制御パラメータ参照部６２は、ＰＷＭ制御パラメータテーブル５８を参照して、リセット回数に対応したＰＷＭ制御パラメータを取得して、取得したＰＷＭ制御パラメータを電源制御部２４に指定して、電源供給の制御を行うよう指示する。
【０１２５】
（ＰＷＭ制御パラメータテーブルの詳細について）
図８に示すＰＷＭ制御パラメータテーブル５８に記憶されているデータの詳細について説明すると次のとおりである。
【０１２６】
まず、リセット回数“０”に対応付けて、ＰＷＭ周波数およびＰＷＭ期間“無”が登録されている。これは、リセット回数“０”のとき、電源制御部２４が、ＰＷＭ制御を行わないことを示している。また、容量値は、“０．１μＦ”である。
【０１２７】
リセット回数“１”〜“６”には、ＰＷＭ周波数“５ＭＨｚ”が対応づけられているが、ＰＷＭ期間が、それぞれ異なる。リセット回数“１”〜“６”には、それぞれ、順にＰＷＭ期間“１０μｓ（マイクロ秒）”、“２０μｓ”、“４０μｓ”、“１００μｓ”、“２００μｓ”、および“４００μｓ”が対応づけられている。このように、リセット回数が、大きいほど、突入電流をより確実に抑止するために、より長いＰＷＭ期間が設定されている。
【０１２８】
また、リセット回数“７”〜“９”には、ＰＷＭ周波数“２．５ＭＨｚ”が対応付けられている。このように、リセット回数“７”〜“９”には、リセット回数“１”〜“６”の場合よりも、低い周波数が設定されている。
【０１２９】
リセット回数“７”〜“９”には、それぞれ、順に、ＰＷＭ期間“１ｍｓ（ミリ秒）”、“２０ｍｓ”、“４００ｍｓ”が対付けられている。
【０１３０】
最後に、リセット回数“１０”の場合については、ＰＷＭ制御パラメータテーブル５８に保持されているＰＷＭ制御パラメータ中で、最も低いＰＷＭ周波数“１ＭＨｚ”、最も長いＰＷＭ期間“２ｓ（秒）”が設定されている。
【０１３１】
なお、各リセット回数に対応付けられている容量値も、リセット回数が、大きいほど、大きな値となっている。
【０１３２】
（ＰＷＭ制御パラメータ参照部の動作詳細について）
続いて、ＰＷＭ制御パラメータ参照部６２の動作詳細について説明すると以下のとおりである。ＰＷＭ制御パラメータ参照部６２は、リセット検知部３２から、通知されるリセット回数をカウントし、ＰＷＭ制御パラメータテーブル５８を参照して、カウントしたリセット回数に応じたＰＷＭ制御パラメータを取得する。そして、ＰＷＭ制御パラメータ参照部６２は、取得したＰＷＭ制御パラメータを、電源制御部２４に指定して、電源供給の制御を行うよう指示する。
【０１３３】
なお、リセット回数が“０”の場合、ＰＷＭ制御パラメータ参照部６２は、電源制御部２４に通常の電源供給の制御を行うよう指示する。
【０１３４】
（処理の流れ１）
次に、図９を用いて、電源装置６０を備える画像表示装置１０のメモリーカードに電源供給する処理の流れの一例について説明する。図９は、電源装置６０を備える画像表示装置１０における、メモリーカードに電源供給する処理の流れの一例について示したフローチャートである。
【０１３５】
画像表示装置１０において、メモリーカードＭがカードリーダ部１４に挿入されて、メモリーカードに電源供給する処理が開始されると、ＰＷＭ制御パラメータ参照部６２が、リセット回数ｎを“０”に初期化する（Ｓ１１）。また、この初期化のタイミングで、読取制御部２２は、メモリーカードＭのカード種類の判別、識別情報の取得を行う。
【０１３６】
続いて、ＰＷＭ制御パラメータ参照部６２は、ＰＷＭ制御パラメータテーブル５８を参照して、リセット回数“０”に対応付けられているＰＷＭ制御パラメータを取得する（Ｓ１２）。
【０１３７】
そして、ＰＷＭ制御パラメータ参照部６２は、取得したＰＷＭ制御パラメータに基づいて電源供給部１６を制御するよう、電源制御部２４に指示する。この場合は、リセット回数“０”であるので、電源制御部２４は、電源供給部１６を制御して、メモリーカードＭに通常の電源供給を行う（Ｓ１３）。
【０１３８】
ここで、リセット検知部３２が、リセットの発生を検知しなければ（Ｓ１４においてＮＯ）、メモリーカードＭは始動状態となり、読取制御部２２は、始動したメモリーカードＭから画像データを読み込んで、表示部１２に表示する（Ｓ１５）。そして、始動情報保存部３６は、取得したＰＷＭ制御パラメータを、取得した識別情報に対応付けて始動情報記憶部５６に保存するともに、メモリーカードの種類を当該始動情報に書き込み、最新管理情報を“１”に設定する（Ｓ１９）。その後、処理は終了する。
【０１３９】
一方、リセット検知部３２が、リセットの発生を検知すれば（Ｓ１４においてＹＥＳ）、ＰＷＭ制御パラメータ参照部６２は、リセット回数ｎをインクリメントして（Ｓ１６）、リセット回数が１０回より大きいかを判定する（Ｓ１７）。
【０１４０】
リセット回数の判定の結果、リセット回数が１０回以下であれば（Ｓ１７においてＮＯ）、処理は、Ｓ１２に戻って、再度、ＰＷＭ制御パラメータ参照部６２が、ＰＷＭ制御パラメータテーブル５８を参照して、リセット回数に応じたＰＷＭ制御パラメータを取得し（Ｓ１２）、以下Ｓ１３〜Ｓ１７の処理を繰り返す。
【０１４１】
これに対して、リセット回数が１０回より大きければ（Ｓ１７においてＹＥＳ）、読取制御部２２は、挿入されているメモリーカードＭとは、別のメモリーカードを挿入するようユーザに促すメッセージを、表示部１２に表示させて（Ｓ１８）、処理が終了する。
【０１４２】
（処理の流れ１：変形例）
図８を用いて示したとおり、ＰＷＭ制御パラメータテーブル５８では、各レコードにおいて、「容量値」を記憶している。この容量値を用いる変形例について以下に示す。
【０１４３】
メモリーカードの容量成分は、メモリーカードの種類によって、ある程度予測が可能である。このため、あらかじめ、メモリーカードの種類ごとに「容量値」を計測しておきメモリーカードの種類と、対応づけて記憶する容量テーブルを設けてもよい。
【０１４４】
例えば、“コンパクトフラッシュ”に対して、容量値“１０μＦ”が計測されていたとすると、容量テーブルには、メモリーカードの種類“コンパクトフラッシュ”に対応づけて、容量値“１０μＦ”を記憶しておけばよい。
【０１４５】
本実施形態では、リセット回数に応じて、順にＰＷＭ制御パラメータテーブル５８から、レコードを読み出す構成について説明したが、これとは異なり、挿入されたメモリーカードの種類に応じた「容量値」を容量テーブルから読み出して、その「容量値」に合致したＰＷＭ制御パラメータを読み出してもよい。
【０１４６】
つまり、再び図８を参照しながら、具体例について説明すると、次のとおりである。
【０１４７】
まず、コンパクトフラッシュがカードリーダ部１４に挿入されると、読取制御部２２が、メモリーカードの検出信号によりメモリーカードの種類が“コンパクトフラッシュ”であることを判定する。
【０１４８】
そして、読取制御部２２が、挿入されたメモリーカードの種類が“コンパクトフラッシュ”であることを、ＰＷＭ制御パラメータ参照部６２に通知する。
【０１４９】
さらに、ＰＷＭ制御パラメータ参照部６２が、リセット回数に関わらず、容量値“１０μＦ”に対応するＰＷＭ制御パラメータを読み出す。この場合は、リセット回数“４”に対応するＰＷＭ制御パラメータであり、ＰＷＭ周波数“５ＭＨｚ”、ＰＷＭ期間“１００μｓ”である。
【０１５０】
それから、読み出したＰＷＭ制御パラメータに基づいて、電源制御部２４が、電源供給の制御を行う。
【０１５１】
なお、さらにリセット検知部３２が、リセットの発生を検知した場合は、順にリセット回数“５”〜“１０”のＰＷＭ制御パラメータを読み出していってもよい。
【０１５２】
上記構成によれば、メモリーカードの種類に応じたＰＷＭ制御パラメータを用いて、電源供給を行うことができるという効果を奏する。
【０１５３】
すなわち、上記具体例では、リセット回数“０”〜“３”のＰＷＭ制御パラメータを読み出す手間を省いて、迅速にコンパクトフラッシュを始動状態に導くことができる。
【０１５４】
（処理の流れ２）
次に、図１０を用いて、電源装置６０を備える画像表示装置１０のメモリーカードに電源供給する処理の流れの別の例について説明する。図１０は、電源装置６０を備える画像表示装置１０における、メモリーカードに電源供給する処理の流れの別の例について示したフローチャートである。
【０１５５】
画像表示装置１０において、メモリーカードＭがカードリーダ部１４に挿入されて、メモリーカードに電源供給する処理が開始されると、読取制御部２２が、メモリーカードＭのカード種類の判別、識別情報の取得を行って、始動情報参照部３８が、始動情報を取得する。
【０１５６】
具体的には、始動情報参照部３８は、メモリーカードＭのカード種類を用いて、当該カード種類が設定されている始動情報のなかから、最新管理情報が“１”である始動情報を取得する（Ｓ２１）。
【０１５７】
そして、電源制御部２４が、始動情報参照部３８が取得した始動情報に含まれるＰＷＭ制御パラメータに基づいて電源供給を行う（Ｓ２２）
ここで、リセット検知部３２が、リセットの発生を検知しなければ（Ｓ２２においてＮＯ）、メモリーカードＭは始動状態となり、読取制御部２２は、始動したメモリーカードＭから画像データを読み込んで、表示部１２に表示する（Ｓ２７）。
【０１５８】
そして、始動情報保存部３６は、取得したＰＷＭ制御パラメータを、取得した識別情報に対応付けて始動情報記憶部５６に保存するともに、メモリーカードの種類を当該始動情報に書き込み、最新管理情報を“１”に設定する（Ｓ２８）。
【０１５９】
その一方で、リセット検知部３２が、リセットの発生を検知すれば（Ｓ１４においてＹＥＳ）、始動情報参照部３８は、メモリーカードＭのカード種類および識別情報をキーに識別情報が、始動情報記憶部に登録されているか否かを判定する（Ｓ２４）。
【０１６０】
その判定の結果、カード種類に対応する識別情報が、始動情報記憶部５６に登録されている場合（Ｓ２５においてＹＥＳ）、始動情報参照部３８は、識別情報に対応付けられているＰＷＭ制御パラメータを取得する（Ｓ２５）。そして、電源制御部２４が、取得したＰＷＭ制御パラメータに基づいて電源供給部１６を制御してメモリーカードＭに対して電源供給を行わせる（Ｓ２６）。
【０１６１】
読取制御部２２は、始動したメモリーカードＭから画像データを読み込んで、表示部１２に表示する（Ｓ２７）。そして、始動情報保存部３６は、取得したＰＷＭ制御パラメータを、取得した識別情報に対応付けて始動情報記憶部５６に保存するともに、メモリーカードの種類を当該始動情報に書き込み、最新管理情報を“１”に設定する（Ｓ２８）。その後、処理は終了する。
【０１６２】
一方、その判定の結果、識別情報が、始動情報記憶部に登録されていない場合（Ｓ２５においてＮＯ）、Ｓ２９〜Ｓ２１５の処理を実行する。Ｓ２９〜Ｓ２１５については、Ｓ１１〜Ｓ１４、Ｓ１６〜Ｓ１８の処理と同様であるので、その説明を省略する。
【０１６３】
このように、過去にメモリーカードＭを始動させたときのＰＷＭ制御パラメータを、メモリーカードＭの識別情報および種類と対応付けて保存しておけば、次に、メモリーカードＭを始動させるとき、メモリーカードＭが始動した実績のあるＰＷＭ制御パラメータに基づいて電源供給を行うことができ、リセットの発生のおそれを低減することができる。
【０１６４】
（始動情報の詳細について）
ここで、再び図１１を用いて、始動情報記憶部５６が記憶する始動情報の詳細について説明する。
【０１６５】
図１１に示すように、コンパクトフラッシュの始動情報、すなわち、カード種類が“ＣＦ”である始動情報は、３件登録されている。なお、カード種類の設定値におけるかっこ書きの部分は、件数を表している。
【０１６６】
１件目（カード種類：ＣＦ（１））において、識別情報は “２１４６ｈ”であり、ＰＷＭ周波数は“５ＭＨｚ”、ＰＷＭ期間は“１００μｓ”である。また、最新管理情報は“１”であり、この始動情報が、最も新しく登録されたものであることを示している。
【０１６７】
２件目（カード種類：ＣＦ（２））において、識別情報は“３８２６ｈ”であり、ＰＷＭ周波数は“２．５ＭＨｚ”、ＰＷＭ期間は“４００ｍｓ”である。また、最新管理情報は、“２”である。すなわち、この始動情報は、２番目に新しいものであることを示している。
【０１６８】
３件目（カード種類：ＣＦ（３））において、識別情報は“７１２６ｈ”であり、ＰＷＭ周波数およびＰＷＭ期間には“無”が設定されている。ＰＷＭ周波数およびＰＷＭ期間が“無”であるのは、シリアルナンバー“７１２６ｈ”を有するコンパクトフラッシュは、ＰＷＭ制御による電源供給を行わなくても始動が可能なコンパクトフラッシュであることを示している。
【０１６９】
また、３件目の最新管理情報は、“３”であり、コンパクトフラッシュの始動情報のなかでは、最も古い始動情報であることを示している。
【０１７０】
なお、図１１において、識別情報が“＊＊＊＊ｈ”であるものは、シリアルナンバーが付されていないことを示している。このようなメモリーカードに対して、カードリーダ部１４が、識別情報を書き込むことができるようになっていてもよい。
【０１７１】
このように構成すれば、識別情報が付されていないメモリーカードについても、始動情報の管理が可能となる。
【０１７２】
（処理の流れ２の具体例）
図１１に示す始動情報を、図１０を用いて示した「処理の流れ２」に適用し、その処理の流れの具体例について説明すると、次のとおりである。以下では、識別情報“３８２６ｈ”のコンパクトフラッシュが、カードリーダ部１４に挿入された場合の動作について説明する。
【０１７３】
すなわち、Ｓ２１において、始動情報参照部３８は、カード種類が“ＣＦ”である１件目〜３件目の情報から、最新管理情報が、“１”である１件目の始動情報を取得する。
【０１７４】
そして、電源制御部２４が、始動情報参照部３８が取得した始動情報に含まれるＰＷＭ制御パラメータに基づき、ＰＷＭ周期“５ＭＨｚ”、ＰＷＭ期間“１００μｓ”にて電源供給を行う（Ｓ２２）。
【０１７５】
ここで、リセットが発生した場合（Ｓ２３においてＹＥＳ）は、始動情報参照部３８は、始動情報記憶部５６から、カード種類が“ＣＦ”であって、識別情報が“３８２６ｈ”である２件目の始動情報を読み出す（Ｓ２４、Ｓ２５）。そして、電源制御部２４が、始動情報参照部３８が取得した始動情報に含まれるＰＷＭ制御パラメータに基づき、ＰＷＭ周期“２．５ＭＨｚ”、ＰＷＭ期間“４００ｍｓ”にて電源供給を行う（Ｓ２６）。そして、画像データ表示（Ｓ２７）の後、始動情報を保存して（Ｓ２８）、処理は終了する。
【０１７６】
〔むすび〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７７】
最後に、電源装置４０、６０の各ブロック、特に電源制御部２４、リセット検知部３２、再開制御部３４、始動情報保存部３６、始動情報参照部３８およびＰＷＭ制御パラメータ参照部６２は、ハードウェアロジックによって構成してもよいし、次のようにＣＰＵを用いてソフトウェアによって実現してもよい。
【０１７８】
すなわち、電源装置４０、６０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電源装置４０、６０の制御プログラムのプログラムコード（実行形式プログラム、中間コードプログラム、ソースプログラム）をコンピュータで読み取り可能に記録した記録媒体を、上記電源装置４０、６０に供給し、そのコンピュータ（またはＣＰＵやＭＰＵ）が記録媒体に記録されているプログラムコードを読み出し実行することによっても、達成可能である。
【０１７９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリーカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８０】
また、電源装置４０、６０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８１】
本発明は、突入電流の発生、および、それによる電圧降下を抑止しながら電源供給を行って、特性によらず対象機器を、機能を発揮できる状態に導くことができる。このため、電源供給をおこなうような装置に好適に適用可能である。具体的には、メモリーカードに対して電源供給するメモリーカード読取装置などへの適用が可能である。
【符号の説明】
【０１８２】
１０  画像表示装置（情報処理装置）
１２  表示部
１４  カードリーダ部
１６  電源供給部（電源部）
２０  制御部
２２  読取制御部（識別情報取得手段）
２４  電源制御部（電源供給制御手段）
３２  リセット検知部（リセット検知手段）
３４  再開制御部（再開制御手段）
３６  始動情報保存部（始動情報保存手段）
３８  始動情報参照部（始動情報指定手段）
４０、６０  電源装置
５０  記憶部
５２  再開設定記憶部（パラメータ設定情報記憶部）
５４  再開パラメータ記憶部
５６  始動情報記憶部
５８  ＰＷＭ制御パラメータテーブル
６２  ＰＷＭ制御パラメータ参照部
Ｌ１、Ｌ２  スロット部
Ｍ    メモリーカード（対象機器）
Ｍ１  コンパクトフラッシュ
Ｍ２  ＳＤメモリーカード
Ｍ３  ｘＤピクチャーカード
Ｍ４  メモリースティック
【図１】
2011055606.tif 000003
【図２】
2011055606.tif 000004
【図３】
2011055606.tif 000005
【図４】
2011055606.tif 000006
【図５】
2011055606.tif 000007
【図６】
2011055606.tif 000008
【図７】
2011055606.tif 000009
【図８】
2011055606.tif 000010
【図９】
2011055606.tif 000011
【図１０】
2011055606.tif 000012
【図１１】
2011055606.tif 000013
【図１２】
2011055606.tif 000014